(57)【要約】【課題】共通する機器を制御・監視するための機器監視システムにおいて個々の機器監視装置ごとの目的に応じた階層表示を可能にすること。【解決手段】本発明の一側面に係る機器監視システムは、複数の機器を監視可能に構成され、複数の機器の配置を示す第１階層構造に対応する第１階層構造情報を記録するサーバ装置１と、サーバ装置１に通信可能に構成され、一以上の複数の機器を個別に配置した第２階層構造に対応する第２階層構造情報に基づいて一以上の複数の機器を監視する機器監視装置５と、を備え、第２階層構造は、第１階層構造との整合性を保つための所定の規則に基づいて構成されている。【選択図】図１
2018025998.tif 000002
【特許請求の範囲】
【請求項１】
複数の機器を監視可能に構成され、前記複数の機器の配置を示す第１階層構造に対応する第１階層構造情報を記録するサーバ装置と、
前記サーバ装置に通信可能に構成され、一以上の前記複数の機器を個別に配置した第２階層構造に対応する第２階層構造情報に基づいて一以上の前記複数の機器を監視する機器監視装置と、
を備え、
前記第２階層構造は、前記第１階層構造との整合性を保つための所定の規則に基づいて構成されている、
機器監視システム。
【請求項２】
前記第１階層構造は、最上位の要素が配置される第１階層、前記第１階層の下位に属する要素が配置される第２階層、及び前記第２階層の下位に属する要素である機器が配置される第３階層を含む、
請求項１に記載の機器監視システム。
【請求項３】
前記所定の規則は、前記第１階層構造に属する要素は、前記第２階層構造において当該要素の上位に属する要素が全て前記第１階層構造において当該要素の上位に属する要素と同一またはその一部である場合に前記第２階層構造に含むことが許容されている、
請求項２に記載の機器監視システム。
【請求項４】
前記所定の規則は、前記第１階層構造を構成する特定の階層に属する要素以外の要素を前記第２階層構造の前記特定の階層に対応する階層の要素として含むことが許容されている、
請求項２または３に記載の機器監視システム。
【請求項５】
前記所定の規則は、前記第１階層構造に属する特定の要素と同じ要素を前記第２階層構造に含む場合、前記第１階層構造における当該要素の下位に属する要素であって前記第１階層構造に含まれている要素以外の要素を前記第２階層構造における当該要素の下位に配置することを禁止することである、
請求項２〜４のいずれか１項に記載の機器監視システム。
【請求項６】
前記所定の規則は、前記第１階層構造に属する特定の要素と同じ要素を前記第２階層構造に含む場合、前記第１階層構造における当該要素の下位に属する要素であって前記第１階層構造に含まれている要素を前記第２階層構造における当該要素以外の要素の下位に配置することを禁止することである、
請求項２〜５のいずれか１項に記載の機器監視システム。
【請求項７】
前記第２階層構造において同一の階層に属する要素の順番を変更可能に構成されている、
請求項２に記載の機器監視システム。
【発明の詳細な説明】
【技術分野】
【０００１】
本発明は、複数の機器を個別に監視する機器監視システムに関する。
【背景技術】
【０００２】
従来から、プラントに設置された複数の機器を適切に監視する技術が知られている（例えば、特許文献１参照）。
【０００３】
特許文献１には、プラントに設置された複数の機器を管理する機器管理システムにおいて、複数の機器をプラント階層に分けて表示手段に画面表示する機器管理システムが記載されている。
【先行技術文献】
【特許文献】
【０００４】
【特許文献１】特開２００５−３４６４４４号公報
【発明の概要】
【発明が解決しようとする課題】
【０００５】
ここで、複数の機器の階層表示が可能な複数の表示手段を採用して複数の機器の管理を行う場合に、特許文献１記載の機器管理システムでは複数の機器監視装置で共通のプラントを管理する場合に不都合が生じる。特許文献１記載の機器管理システムにおいて、複数の機器監視装置から共通するプラントに存在する機器を管理する際には、一つの階層構造情報を複数の機器管理装置が参照することになる。各機器監視装置において、階層表示手段のそれぞれは、同じ階層構造情報に基づいて階層表示をする。
【０００６】
しかしながら、それぞれの機器監視装置を操作するオペレータは、異なる役割、権限を有するため、制御監視の目的が異なる。制御監視の目的が異なれば、当然ながら制御監視のために表示させるべき階層構造も異なる方が便宜である。
一方で、機器監視装置ごとに異なる階層構造の内容を無秩序に定義することを許容してしまうと、定義内容によっては、共通する階層構造との整合性を保てなくなることがある。すなわち、機器監視装置ごとに無秩序に階層構造を定義することはできないという問題があった。
【０００７】
そこで、本発明は、共通する機器を制御・監視するための機器監視システムにおいて個々の機器監視装置ごとの目的に応じた階層表示を可能にすることを目的の一つとする。
【課題を解決するための手段】
【０００８】
上記課題を解決するために、本発明の一側面に係る機器監視システムは、複数の機器を監視可能に構成され、複数の機器の配置を示す第１階層構造に対応する第１階層構造情報を記録するサーバ装置と、サーバ装置に通信可能に構成され、一以上の複数の機器を個別に配置した第２階層構造に対応する第２階層構造情報に基づいて一以上の複数の機器を監視する機器監視装置と、を備え、第２階層構造は、第１階層構造との整合性を保つための所定の規則に基づいて構成されている。
【０００９】
上記機器監視システムにおいて、第１階層構造は、最上位の要素が配置される第１階層、第１階層の下位に属する要素が配置される第２階層、及び第２階層の下位に属する要素である機器が配置される第３階層を含んでもよい。
【００１０】
上記機器監視システムにおいて、所定の規則は、第１階層構造に属する要素は、第２階層構造において当該要素の上位に属する要素が全て第１階層構造において当該要素の上位に属する要素と同一またはその一部である場合に第２階層構造に含むことが許容されてもよい。
【００１１】
上記機器監視システムにおいて、所定の規則は、第１階層構造を構成する特定の階層に属する要素以外の要素を第２階層構造の特定の階層に対応する階層の要素として含むことが許容されてもよい。
【００１２】
上記機器監視システムにおいて、所定の規則は、第１階層構造に属する特定の要素と同じ要素を第２階層構造に含む場合、第１階層構造における当該要素の下位に属する要素であって第１階層構造に含まれている要素以外の要素を第２階層構造における当該要素の下位に配置することを禁止することであってもよい。
【００１３】
上記機器監視システムにおいて、所定の規則は、第１階層構造に属する特定の要素と同じ要素を第２階層構造に含む場合、第１階層構造における当該要素の下位に属する要素であって第１階層構造に含まれている要素を第２階層構造における当該要素以外の要素の下位に配置することを禁止することであってもよい。
【００１４】
上記機器監視システムにおいて、第２階層構造において同一の階層に属する要素の順番を変更可能に構成されてもよい。
【００１５】
なお、本発明において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されても良い。
【発明の効果】
【００１６】
本発明によれば、共通する機器を制御・監視するための機器監視システムにおいて個々の機器監視装置ごとの目的に応じた階層表示を可能にすることができる。
【図面の簡単な説明】
【００１７】
【図１】本発明の実施形態に係る機器監視システムの構成を示す図である。
【図２】本発明の実施形態に係るサーバ装置に記録されている階層構造情報の一例を示す図である。
【図３】本発明の実施形態に係る機器監視装置の構成を示すブロック図である。
【図４】本発明の実施形態に係る機器監視システムによる機器監視処理の一例を示すフローチャートである。
【図５】本発明の実施形態に係る機器監視装置に表示される操作画面の一例を示す図である。
【図６】本発明の実施形態に係る機器監視システムの機器監視処理の一例を示す概念図である。
【図７】本発明の実施形態に係る機器監視システムの機器監視処理の一例を示す概念図である。
【図８】本発明の実施形態に係る機器監視システムの機器監視処理の一例を示す概念図である。
【図９】本発明の実施形態に係る機器監視システムの機器監視処理の一例を示す概念図である。
【図１０】本発明の実施形態に係る機器監視システムの機器監視処理の一例を示す概念図である。
【発明を実施するための形態】
【００１８】
以下、図面を参照して本発明の実施の形態を説明する。図面は模式的なものであり、必ずしも実際の寸法や比率等とは一致しない。図面相互間においても互いの寸法の関係や比率が異なる部分が含まれていることがある。理解を容易にするため、各図面において同一の構成要素に対しては可能な限り同一の符号を付し、重複する説明は省略する。
【００１９】
（構成）
図１は、本発明の実施形態に係る機器監視システムの構成を示す図である。図１に示すように、機器監視システム１００は、例示的に、サーバ装置１と複数の機器監視装置５（５Ａ，５Ｂ）と、を備えて構成されている。サーバ装置１は、西日本製油所のプラントＡに配置された撹拌機１とプラントＢに配置された撹拌機２及び蒸留塔１とシステムバスＢ１を介して通信可能に構成されている。また、サーバ装置１は、東日本製油所のプラントＣに配置された撹拌機３とプラントＤに配置された蒸留塔２とシステムバスＢ２を介して通信可能に構成されている。複数の機器監視装置５は、サーバ装置１に所定のネットワークを介して通信可能に構成されている。
【００２０】
機器監視システム１００において、オペレータであるユーザが、共通する複数の機器（例えば、撹拌機１、撹拌機２、撹拌機３、及び蒸留塔１等）を監視する目的で、機器監視装置５Ａ，５Ｂのそれぞれを操作するようになっている。それぞれの機器監視装置５Ａ，５Ｂは、複数の機器について、階層表示監視画面を表示可能になっている。階層表示監視画面は、ユーザの操作目的に応じて階層構造の表示態様を任意に定義可能になっている。ここで、複数の機器監視装置５Ａ，５Ｂを利用して複数の機器の監視を行う場合に、それぞれのユーザに階層表示監視画面の内容を無秩序に定義することを許容してしまうと、サーバ装置１に記憶されている共通の階層構造情報と整合性を保てなくなる。すなわち、機器監視装置５Ａ、５Ｂごとに無秩序に階層構造を定義することはできないという問題があった。
【００２１】
そこで、機器監視システム１００においては、機器監視装置５Ａ，５Ｂの第２階層構造情報の第２階層構造は、サーバ装置１が記録する第１階層構造情報の第１階層構造との整合性を保つための所定の規則に基づいて構成されている。よって、サーバ装置１が記録する第１階層構造と各機器監視装置５Ａ，５Ｂが記録する第２階層構造との整合性を適切に保つことができる。以下、共通する機器を制御・監視するための機器監視システムにおいて個々の機器監視装置ごとの目的に応じた階層表示をすることが可能な機器監視システム１００について具体的に説明する。
【００２２】
撹拌機１、撹拌機２、撹拌機３、蒸留塔１、及び蒸留塔２（複数の機器）は、機器監視装置５がサーバ装置１を介して提供する制御信号に基づき動作するように構成されている。なお、複数の機器は、上記した機器に限られない。
【００２３】
サーバ装置１は、複数の機器の配置を示す階層構造に対応する階層構造情報Ｉ３（第１階層構造情報）と、後述する、図３に示す機器監視装置５Ａ，５Ｂの階層構造情報Ｉ３´（第２階層構造情報）と、の整合性を保つように構成された情報管理装置である。サーバ装置１は、規則情報Ｉ１、要素情報Ｉ５、及び配置情報Ｉ７を記録する記録部３を備える。例示的に、規則情報Ｉ１は、サーバ装置１が記録する第１階層構造情報の第１階層構造と機器監視装置５Ａ，５Ｂの第２階層構造情報の第２階層構造との整合性を保つための所定の規則を含んで構成される。要素情報Ｉ５は、製油所、プラント、撹拌機、及び蒸留塔等に対応する要素の名称や識別情報を含む。配置情報Ｉ７は、要素の配置を示す情報である。
【００２４】
なお、規則情報Ｉ１は、機器監視装置５Ａ，５Ｂのそれぞれに対して共通の規則情報として提供される。階層構造情報Ｉ３は、機器監視装置５Ａ，５Ｂのそれぞれに対して共通の階層構造情報として提供されてもよいし、機器監視装置ごとに予めカスタマイズされた階層構造情報として提供されてもよい。また、規則情報Ｉ１は、各機器監視装置５Ａ、５Ｂに記録されていてもよい。
【００２５】
サーバ装置１は、機器監視装置５から受信した操作信号に基づいて、各製油所の複数のプラントに配置された複数の機器を直接的に駆動するための制御信号を出力したり複数の機器からの測定信号を直接的に入力したりする監視機能が可能になっている。例えば、サーバ装置１は、機器監視装置５からの操作信号に対応させて１以上の機器を駆動させる制御信号をシステムバスＢ１，Ｂ２を介して出力する。また、サーバ装置１は、１以上の機器から入力した測定情報を機器監視装置５に認識可能な測定信号に変換して機器監視装置５に出力するようになっている。
【００２６】
図２は、本発明の実施形態に係るサーバ装置１に記録されている階層構造情報の一例を示す図である。図２に示すように、階層構造情報Ｉ３が示す複数の機器の配置を示す階層構造（第１階層構造）は、例えば、西日本製油所（最上位の要素）が配置される第１階層、プラントＡ及びプラントＢ（第１階層の下位に属する要素）が配置される第２階層、及び、撹拌機１、撹拌機２、及び蒸留塔１（第２階層の下位に属する要素である機器）が配置される第３階層を含む。また、東日本製油所（最上位の要素）が配置される第１階層、プラントＣ及びプラントＤ（第１階層の下位に属する要素）が配置される第２階層、及び、撹拌機３及び蒸留塔２（第２階層の下位に属する要素である機器）が配置される第３階層を含む。この階層構造は、最終的な監視対象である複数の機器（攪拌機１、攪拌機２、攪拌機３、蒸留塔１、蒸留塔２）を、第１階層に属する要素である事業所の種類（西日本製油所、東日本製油所）、および第２階層に属する要素であるプラントの種類（プラントＡ、Ｂ、Ｃ、Ｄ）のうち、どの要素の下位に配置されているかをマッピングしている現実の階層構造である。この階層構造は、複数の機器監視装置５Ａ、５Ｂにとって、共通の原本的階層構造である。
【００２７】
図１に戻り、機器監視装置５は、一以上の複数の機器を個別に配置した階層構造（第２階層構造）に対応する第２階層構造情報に基づいて一以上の複数の機器を監視するように構成されている。例えば、機器監視装置５は、第２階層構造情報に基づいて、複数の機器を監視するための階層表示画像を生成し、表示処理する装置である。
【００２８】
図３は、本発明の実施形態に係る機器監視装置５の構成を示すブロック図である。図３に示すように、機器監視装置５は、例示的に、入力部１０と、出力部１２と、情報処理部２０と、記録部３０と、を備えて構成されている。なお、情報処理部２０は、例えば、メモリやハードディスク等の記憶領域に格納されているソフトウェアプログラムをプロセッサが実行することにより実現することができる。
【００２９】
入力部１０は、ユーザの操作情報等を入力する手段である。例えば、入力部１０は、一以上の複数の機器を含む要素を個別に配置した階層構造を定義するためのユーザの操作情報を入力する。入力部１０として、例えば、ユーザが操作するトラックボール、キーボードやマウス等を採用することができる。
【００３０】
出力部１２は、画像や音声などを出力する手段である。具体的には、機器監視装置５の操作画面及び機器監視画面の表示を実行する。出力部１２としては、液晶ディスプレイ、有機ＥＬディスプレイ等の画像表示装置を採用することができる。例えば、出力部１２が画像表示装置であれば、操作画面及び機器監視画面等をディスプレイ上に表示する。
【００３１】
なお、タッチパネル付きディスプレイは、入力部１０及び出力部１２として好適である。タッチパネル付きディスプレイにおいては、ディスプレイ部分が出力部１２に相当し、ディスプレイ部分に重ねて設けられるタッチパネル部分が入力部１０に相当する。
【００３２】
情報処理部２０は、機能的に、情報取得部２１と、判断部２３と、階層構造情報生成部２５と、画像生成部２７と、を備えて構成されている。
【００３３】
情報取得部２１は、サーバ装置１から規則情報Ｉ１と階層構造情報Ｉ３とを取得する。但し、規則情報Ｉ１や階層構造情報Ｉ３は、必ずしもサーバ装置１からダウンロードする必要はなく、階層構造Ｉ３´を生成する際にサーバ装置１に記憶されている規則情報Ｉ１や階層構造情報Ｉ３を参照するように構成してもよい。
【００３４】
判断部２３は、入力部１０が受け付けた、ユーザによる監視対象要素の指定入力の内容が妥当であるか否かを、規則情報Ｉ１が示す所定の規則に基づいて判断する。判断部２３は、例えば、ユーザによる監視対象要素の指定入力に対応する階層構造が、サーバ装置５からの階層構造情報Ｉ３（第１階層構造情報）が示す第１階層構造との整合性を保つための所定の規則に基づくか否かを判断する。
【００３５】
階層構造情報生成部２５は、判断部２３が、ユーザが入力した内容が妥当であると判断した場合に、第１階層構造との整合性を保つための所定の規則に基づいて構成されている第２階層構造を示す階層構造情報Ｉ３´（第２階層構造情報）を生成する。
【００３６】
画像生成部２７は、階層構造情報Ｉ３´に基づいて複数の機器を含む要素が配置された階層表示画像を生成する。
【００３７】
記録部３０は、例えば、情報取得部２１が取得した規則情報Ｉ１と、階層構造情報Ｉ３と、階層構造情報生成部２５が生成した階層構造情報Ｉ３´と、を関連付けて記録する。
【００３８】
（機器監視処理）
図４〜図１０を用いて、機器監視処理を説明する。図４は、本発明の実施形態に係る機器監視システムによる機器監視処理の一例を示すフローチャートである。
【００３９】
機器監視処理フローにおいて、前提として、機器監視装置５を操作するユーザは、ネットワークの所定のサイトより、本発明の実施形態に係る機器監視処理アプリケーションソフトウェアをダウンロードし保存する等によって、機器監視装置５に実行可能なように保存しておく。そして、ユーザにより機器監視処理アプリケーションソフトウェアの実行が指示されると、機器監視処理アプリケーションソフトウェアに基づくプログラム動作が開始する。
【００４０】
（ステップＳ１）
情報取得部２１は、サーバ装置１から規則情報Ｉ１と階層構造情報Ｉ３とを取得する。
【００４１】
（ステップＳ３）
入力部１０は、ユーザによる監視対象機器を含む要素の指定入力を受け付ける。
【００４２】
図５は、本発明の実施形態に係る機器監視装置５に表示される操作画面の一例を示す図である。図５に示すように、ユーザは、階層表示画面に追加したい要素の種類を例えば「事業所」／「プラント」／「機器」の中から選択可能である。ここで、選択した要素の種類に応じて、追加対象の候補が変更される。選択した要素の種類が「事業所」の場合、選択した「事業所」の要素の下位に属する要素として、追加対象候補の中から「プラント」又は「機器」を選択可能となる。選択した要素の種類が「プラント」の場合、選択した「プラント」の要素の下位に属する要素として、追加対象候補の中から「機器」を選択可能となる。選択した要素の種類が「機器」の場合、機器は最下位の階層に属するので、追加対象候補の中から何ら選択することができない。
【００４３】
図５の操作画面例で、ユーザは、階層表示画面において第２階層に配置されている要素：プラントＢを選択している。プラントＢの種類は「プラント」であるため、「機器」のみ追加することが可能である。ここで、図２に示す階層構造情報Ｉ３においては、プラントＢの下位の第３階層に撹拌機２及び蒸留塔１が含まれている。ユーザは、例えば、ボタンＣ２を選択することにより階層表示画面に蒸留塔１の追加操作を実行可能である。他方、ユーザは、ボタンＣ１を選択することにより新規の要素として要素：撹拌機４の追加操作を実行可能である。
【００４４】
（ステップＳ５）
図４に戻り、判断部２３は、ユーザが入力した内容が妥当か否かを、規則情報Ｉ１が示す所定の規則に基づいて判断する。判断部２３が、ユーザが入力した内容が妥当でないと判断する（Ｓ５においてＮｏ）場合は、ステップＳ３に戻る。判断部２３が、ユーザが入力した内容が妥当であると判断する（Ｓ５においてＹｅｓ）場合は、ステップＳ７に進む。
【００４５】
所定の規則は、例えば、少なくとも以下の規則（１）〜（４）を含む。
（１）第１階層構造に属する要素は、第２階層構造において当該要素の上位に属する要素が全て第１階層構造において当該要素の上位に属する要素と同一またはその一部である場合に第２階層構造に含むことが許容されていること。
（２）第１階層構造を構成する特定の階層に属する要素以外の要素を第２階層構造の特定の階層に対応する階層の要素として含むことが許容されていること。
（３）第１階層構造に属する特定の要素と同じ要素を第２階層構造に含む場合、第１階層構造における当該要素の下位に属する要素であって第１階層構造に含まれている要素以外の要素を第２階層構造における当該要素の下位に配置することを禁止すること。
（４）第１階層構造に属する特定の要素と同じ要素を第２階層構造に含む場合、第１階層構造における当該要素の下位に属する要素であって第１階層構造に含まれている要素を第２階層構造における当該要素以外の要素の下位に配置することを禁止すること。
【００４６】
（ステップＳ７）
階層構造情報生成部２５は、判断部２３が、ユーザが入力した内容が妥当であると判断した場合に、階層構造情報Ｉ３が示す第１階層構造との整合性を保つための所定の規則に基づいて構成される第２階層構造を示す階層構造情報Ｉ３´（第２階層構造情報）を生成する。
【００４７】
図６は、判断部が、ユーザが入力した内容が妥当であるか否かを規則（１）に基づいて判断する場合の説明図である。
【００４８】
図６に示すように、ユーザが機器監視装置５において入力部１０を介して監視対象要素として、西日本製油所、撹拌機１、及び撹拌機２を入力する場合、規則（１）として、階層構造情報Ｉ３が示す第１階層構造を構成する特定の階層（第１階層）の下位に属する要素（撹拌機１及び撹拌機２）を階層構造情報Ｉ３´が示す第２階層構造のうち第１階層構造における特定の階層（第１階層）の下位であって第１階層構造において当該要素が配置されている階層（第３階層）とは異なる階層（第２階層）の要素として含むことが許容されるので、ユーザが入力した内容は妥当であると判断される。
【００４９】
そして、階層構造情報生成部２５は、階層構造情報Ｉ３が示す第１階層構造との整合性を保つための所定の規則に基づいて構成される第２階層構造（図６に示す、西日本製油所、撹拌機１、及び撹拌機２を含む階層構造）を示す階層構造情報Ｉ３´を生成する。
【００５０】
図７は、判断部が、ユーザが入力した内容が妥当であるか否かを規則（２）に基づいて判断する場合の説明図である。図７に示すように、ユーザが図３に示す機器監視装置５において入力部１０を介して監視対象要素として、プラントＥ、撹拌機１、及び撹拌機３を入力する場合、規則（２）として、階層構造情報Ｉ３が示す第１階層構造を構成する特定の階層（第２階層）に属する要素（プラントＡ、Ｂ、Ｃ、Ｄ）以外の要素（プラントＥ）を階層構造情報Ｉ３´が示す第２階層構造の特定の階層（第２階層）に対応する階層の要素として含むことが許容されているので、ユーザが入力した内容は妥当であると判断される。
【００５１】
そして、階層構造情報生成部２５は、階層構造情報Ｉ３が示す第１階層構造との整合性を保つための所定の規則に基づいて構成される第２階層構造（図７に示す、プラントＥ、撹拌機１、及び撹拌機３を含む階層構造）を示す階層構造情報Ｉ３´を生成する。
【００５２】
図８は、判断部が、ユーザが入力した内容が妥当であるか否かを規則（３）に基づいて判断する場合の説明図である。図８に示すように、ユーザが図３に示す機器監視装置５において入力部１０を介して監視対象要素として、西日本製油所及び蒸留塔２を入力する場合、規則（３）として、階層構造情報Ｉ３が示す第１階層構造に属する特定の要素（西日本製油所）と同じ要素を階層構造情報Ｉ３´が示す第２階層構造に含む場合、第１階層構造における当該要素（西日本製油所）の下位に属する要素であって第１階層構造に含まれている要素（撹拌機１、撹拌機２、及び蒸留塔１）以外の要素（撹拌機３及び蒸留塔２）を第２階層構造における当該要素（西日本製油所）の下位に配置することを禁止するので、ユーザが入力した内容は妥当でないと判断される。
【００５３】
このように、判断部２３が、ユーザが入力した内容が妥当ではないと判断する（図４のＳ５においてＮｏ）場合は、ステップＳ３に戻る。なお、操作画面には、ユーザの選択した要素の追加が許可できない旨の表示がされる。好適には、階層構造Ｉ１を参照して規則に反していない選択可能な要素を列記して表示するようにしてもよい。
【００５４】
図９は、判断部が、ユーザが入力した内容が妥当であるか否かを規則（４）に基づいて判断する場合の説明図である。図９に示すように、ユーザが機器監視装置５において入力部１０を介して監視対象要素として、関東製油所、撹拌機２、プラントＢ、及び蒸留塔１を入力する場合、規則（４）として、階層構造情報Ｉ３が示す第１階層構造に属する特定の要素（プラントＢ）と同じ要素を階層構造情報Ｉ３´が示す第２階層構造に含む場合、第１階層構造における当該要素（プラントＢ）の下位に属する要素であって第１階層構造に含まれている要素（撹拌機２、蒸留塔１、及び蒸留塔２）を第２階層構造における当該要素（プラントＢ）以外の要素（関東製油所）の下位に配置することを禁止することであるので、ユーザが入力した内容は妥当でないと判断される。
【００５５】
なお、第１階層の事業所として「関東製油所」を追加すること自体は、規則（２）により許可されている。操作画面には、ユーザの選択した要素の追加が許可できない旨の表示がされる。好適には、階層構造Ｉ１を参照して規則に反していない選択可能な要素を列記して表示するようにしてもよい。
【００５６】
このように、判断部２３が、ユーザが入力した内容が妥当ではないと判断する（図４のＳ５においてＮｏ）場合は、ステップＳ３に戻る。なお、操作画面には、ユーザの選択した要素の追加が許可できない旨の表示がされる。好適には、階層構造Ｉ１を参照して規則に反していない選択可能な要素を列記して表示するようにしてもよい。
【００５７】
図１０は、第２階層構造において同一の階層に属する要素の順番の変更処理の一例を示す図である。図１０に示すように、階層構造情報Ｉ３´が示す第２階層構造において要素：プラントＡと要素：プラントＢとは同一の階層（第２階層）に配置されているので、図３に示す階層構造情報生成部２５は、要素：プラントＡ及びプラントＡに属する要素の順序を、要素：プラントＢ及びプラントＢに属する要素の順序と変更できる。このように、階層構造情報生成部２５は、生成された階層構造情報Ｉ３´を変更することが可能である。
【００５８】
（ステップＳ９）
図４に戻り、画像生成部２７は、階層構造情報Ｉ３´に基づいて複数の機器を含む要素が配置された階層表示画像を生成する（図６、図７、及び図１０参照）。
【００５９】
（効果）
本発明の実施形態によれば、機器監視システム１００においては、機器監視装置５Ａ，５Ｂの第２階層構造情報の第２階層構造は、特定の規則に則して要素の追加・変更が可能に構成されているので、サーバ装置１が記録する第１階層構造情報の第１階層構造との整合性を保つことができる。
【００６０】
（他の実施形態）
本発明において、上述した各実施形態は、あくまでも例示であり、明示しない種々の変形や技術の適用を排除する意図はない。即ち、本発明は、その趣旨を逸脱しない範囲で種々変形（各実施形態を組み合わせる等）して実施することができる。
【００６１】
上記実施形態において、図１に示すサーバ装置１に記録されている階層構造情報Ｉ３は、サーバ装置１において更新されてもよい。したがって、例えば、図３に示す判断部２３は、ユーザが入力した内容が妥当であるか否かを、更新された階層構造情報を参照しながら規則情報Ｉ１が示す所定の規則に基づいて判断するように構成されてもよい。
【００６２】
また、上記実施形態において、同一階層に同一名称の複数の要素が配置される場合、同一名称の複数の要素を区別するために、例えば、画像生成部は、階層構造情報に含まれる要素の識別情報を当該要素の名称に関連づけて表示する画像を生成するように構成されてもよい。
【符号の説明】
【００６３】
１００  機器監視システム
１      機器監視装置
３      サーバ装置
５      記録部
１０    入力部
１２    出力部
２０    情報処理部
２１    情報取得部
２３    判断部
２５    階層構造情報生成部
２７    画像生成部
３０    記憶部
【図１】
2018025998.tif 000003
【図２】
2018025998.tif 000004
【図３】
2018025998.tif 000005
【図４】
2018025998.tif 000006
【図５】
2018025998.tif 000007
【図６】
2018025998.tif 000008
【図７】
2018025998.tif 000009
【図８】
2018025998.tif 000010
【図９】
2018025998.tif 000011
【図１０】
2018025998.tif 000012